(57)【要約】【課題】ビルディング等の各室ごとに割り振られた収納庫の施錠装置において、電気式とする場合と、手動式とする場合のいずれにおいても、施錠位置と解錠位置とにスライドされる一つのロック部材を共用することによって、電気式の場合のロック部材と、手動式の場合のロック部材をそれぞれ備える必要がなく、装置の簡素化と低コスト化を図るものである。【解決手段】扉側に突出にて施錠位置となり退避して解錠位置となるロック部材を設け、ロック部材は、電磁式ソレノイド装置の非励磁・励磁によって施錠・解錠動作する電気式状態と、扉側に設けたシリンダ錠に差し込まれるキーによって動作する作動体によって、施錠位置と解錠位置とに移動する手動式状態とに選択可能であり、ロック部材には、取り付け状態にて作動体の施錠動作がロック部材に伝達される状態となり、取り外した状態にて作動体の施錠動作がロック部材に伝達されない状態となる選択ストッパ部材を着脱可能としたこと。【選択図】図６
2011140809.tif 000002
【特許請求の範囲】
【請求項１】
電磁式ソレノイド装置による施錠・解錠状態と、シリンダ錠による手動式施錠・解錠状
態とに選択可能であって、
突出にて施錠位置となり退避して解錠位置となるロック部材が設けられ、
前記ロック部材は前記シリンダ錠に差し込まれるキーによって動作する作動体と連繋す
る連繋部を備え、
前記シリンダ錠による手動式施錠・解錠状態とするか電磁式ソレノイド装置による施錠
・解錠状態とするかの選択に対応するよう前記連繋部に着脱される選択ストッパ部材を備
え、
前記選択ストッパ部材の取り付け状態にて、前記作動体の施錠動作が前記ロック部材に
伝達される状態となって、前記シリンダ錠による施錠・解錠状態が形成され、
前記選択ストッパ部材の取り外し状態にて、前記作動体の施錠動作が前記ロック部材に
伝達されない状態となって、前記電磁式ソレノイド装置による施錠・解錠状態が形成され
る
ことを特徴とする収納庫の施錠装置。
【請求項２】
扉側に、突出にて前記扉を閉止状態に保持する施錠位置となり、退避して前記扉を開放
可能とする解錠位置となるロック部材を設け、
前記ロック部材は、電磁式ソレノイド装置の非励磁によって前記施錠位置となり前記電
磁式ソレノイド装置の励磁によって前記解錠位置となるよう前記電磁式ソレノイド装置の
連結部と、前記扉側に設けたシリンダ錠に差し込まれるキーの回動操作によって前記ロッ
ク部材を前記施錠位置と前記解錠位置とに移動させる作動体の連繋部とを備え、
前記連繋部には、取り付け状態にて前記作動体の動作による施錠動作が前記ロック部材
に伝達される状態となり、取り外した状態にて前記作動体の動作による施錠動作が前記ロ
ック部材に伝達されない状態となる選択ストッパ部材を着脱可能とした
ことを特徴とする収納庫の施錠装置。
【請求項３】
前記連繋部は、先方側（前進側）に第１係止部、後方側（退避側）に第２係止部を備え
、前記作動体の先端部が前記第１係止部と前記第２係止部との間に侵入し、
前記作動体が解錠位置から施錠位置まで移動するストロークＳに対して、
前記選択ストッパ部材を取り付けた状態での前記ロック部材の解錠位置における前記作
動体の先端部から前記選択ストッパ部材の後方側（退避側）端部までの距離Ｌ４が短くな
る
ことを特徴とする請求項１または請求項２に記載の収納庫の施錠装置。
【請求項４】
前記扉を引き出しとしたことを特徴とする請求項１乃至３のいずれかに記載の収納庫の
施錠装置。
【発明の詳細な説明】
【技術分野】
【０００１】
本発明は、収納室の前面開口を水平回転式の扉によって開閉するロッカーや引き出し等
の収納庫の施錠装置に関する。
【背景技術】
【０００２】
従来、ロッカー等の収納庫の代表的なものとして、一つのビルディング内の各部屋（オ
フィス）に対応してセキュリティロッカーが設置され、各部屋（オフィス）の外（ドア近
辺）に親機が設置されており、カードを親機にかざすことにより、通信によってロッカー
に内蔵した子機が待機状態になる。この状態で、そのロッカーの扉にあるボタンを押した
ら、扉の施錠装置が解錠される動作を行なう電気式のものがあるが、電気式のものでは、
停電等の電気的なトラブルが生じた場合に施錠・解錠が行われない状態となることに対処
するために、非常時でも手動式の錠（キー）の使用により施錠・解錠を行うことができる
扉の施錠装置がある（特許文献１参照）。
【０００３】
特許文献１のものは、既存のシリンダ錠１０の作動板１５に減速モーター２４を取り付
け、作動板１５に並列に作動アーム１６を配置し、減速モーター２４の出力軸に取り付け
られたピニオンギア２５と作動アーム１６に固定されたラック２６からなる変換機構を介
して、作動板１５の移動方向に沿って作動アーム１６が摺動するように構成しており、通
常使用はリモコン等の遠隔操作により、減速モーター２４の正回転にて作動アーム１６が
突出して施錠し、減速モーター２４の逆回転にて作動アーム１６が退避して解錠される。
しかし、施錠状態において停電等の電気的なトラブルが生じた場合には、手動式のキーを
シリンダ錠１０に差し込み回転させることにより作動板１５を摺動させ、それに伴ってピ
ニオンギア２５とラック２６との噛み合いを介して作動アーム１６が退避することにより
、解錠される仕組みである。
【先行技術文献】
【特許文献】
【０００４】
【特許文献１】特開２００３−９７１０８号公報
【発明の概要】
【発明が解決しようとする課題】
【０００５】
このように、特許文献１のものは、常時、既存のシリンダ錠１０によって左右に作動板
１５を摺動する手動式機構と、減速モーター２４の正回転・逆回転にて左右に作動アーム
１６を摺動する電気式機構との両方を備えたものであり、シリンダ錠１０による手動式機
構の場合は、減速モーター２４を含む電気式機構を介して施錠・解錠する仕組みであるた
め、装置として複雑であること、モーターを停止するためのリミットスイッチが必要とな
り、制御における信頼性がソレノイド式に比して低下すること、また、減速モーター２４
にギアを使用するため、ギアのかみ合せの精度が重要となり、精度や耐久性によっては空
回りすることのない精度が要求されるものとなり、コストアップになることが懸念される
。
【０００６】
本発明は、特許文献１の方式ではなく、手動式のキーを使用するシリンダ錠によって、
ロッカー等の収納庫の扉の施錠・解錠を行う手動式施錠装置において、これを電磁式ソレ
ノイドの非励磁・励磁によって施錠・解錠を行う電気式施錠装置に変更することができる
構成を提供する。そして、この変更した電気式施錠装置を手動式施錠装置に容易に適用す
ることができる構成とするものである。
【０００７】
このため、収納庫の扉の施錠装置を電気式とする場合と、手動式とする場合のいずれに
おいても、施錠位置と解錠位置とにスライドされる一つのロック部材を共用することによ
って、電気式の場合のロック部材と、手動式の場合のロック部材をそれぞれ備える必要が
なく、装置の簡素化と低コスト化を図るものである。
【０００８】
この場合、本発明の収納庫の施錠装置は、施錠・解錠を行う施錠装置を扉側に設け、施
錠時には扉側からロック部材が突出して収納庫本体側の係止部へ係止して扉を閉止状態に
保持し、解錠時には前記係止部から前記ロック部材が退避して扉を開放可能とするもので
あり、電気式の場合は、例えば、親機にカードキーを近接させることによって、このカー
ドキーに対応した所定の収納庫の扉に設けた電磁式ソレノイドの非励磁・励磁によって、
前記ロック部材が施錠位置と解錠位置とにスライドされるものであるが、これを手動式に
適用する場合は、特定の選択ストッパ部材を前記ロック部材に付加することによって、シ
リンダ錠に差し込まれる手動キーの操作によって、前記ロック部材が施錠位置と解錠位置
とにスライドされるようにする。
【０００９】
このため、本発明では、電気式の場合において、停電などによって電磁式ソレノイドへ
の通電が遮断した場合の解錠のために、扉にシリンダ錠を取り付ける場合、前記特定部材
は取り外しておく。この状態で、手動キーの操作によってシリンダ錠を施錠方向へ回して
も、手動式キーによる施錠操作が前記ロック部材を施錠位置へスライドさせることはない
が、電磁式ソレノイドへの通電が遮断した場合には、前記ロック部材が施錠位置のままと
なるため、そのときは、手動キーの操作によってシリンダ錠を回して、前記ロック部材を
解錠位置にスライドされる構成とするものである。
【課題を解決するための手段】
【００１０】
第１発明の収納庫の施錠装置は、電磁式ソレノイド装置による施錠・解錠状態と、シリ
ンダ錠による手動式施錠・解錠状態とに選択可能であって、
突出にて施錠位置となり退避して解錠位置となるロック部材が設けられ、
前記ロック部材は前記シリンダ錠に差し込まれるキーによって動作する作動体と連繋す
る連繋部を備え、
前記シリンダ錠による手動式施錠・解錠状態とするか電磁式ソレノイド装置による施錠
・解錠状態とするかの選択に対応するよう前記連繋部に着脱される選択ストッパ部材を備
え、
前記選択ストッパ部材の取り付け状態にて、前記作動体の施錠動作が前記ロック部材に
伝達される状態となって、前記シリンダ錠による施錠・解錠状態が形成され、
前記選択ストッパ部材の取り外し状態にて、前記作動体の施錠動作が前記ロック部材に
伝達されない状態となって、前記電磁式ソレノイド装置による施錠・解錠状態が形成され
る
ことを特徴とする。
【００１１】
第２発明の収納庫の施錠装置は、
前記扉側に、突出にて前記扉を閉止状態に保持する施錠位置となり、退避して前記扉を
開放可能とする解錠位置となるロック部材を設け、
前記ロック部材は、電磁式ソレノイド装置の非励磁によって前記施錠位置となり前記電
磁式ソレノイド装置の励磁によって前記解錠位置となるよう前記電磁式ソレノイド装置の
連結部と、前記扉側に設けたシリンダ錠に差し込まれるキーの回動操作によって前記ロッ
ク部材を前記施錠位置と前記解錠位置とに移動させる作動体の連繋部とを備え、
前記連繋部には、取り付け状態にて前記作動体の動作による施錠動作が前記ロック部材
に伝達される状態となり、取り外した状態にて前記作動体の動作による施錠動作が前記ロ
ック部材に伝達されない状態となる選択ストッパ部材を着脱可能とした
ことを特徴とする。
【００１２】
第３発明の収納庫の施錠装置は、第１発明または第２発明において、
前記連繋部は、先方側（前進側）に第１係止部、後方側（退避側）に第２係止部を備え
、前記作動体の先端部が前記第１係止部と前記第２係止部との間に侵入し、
前記作動体が解錠位置から施錠位置まで移動するストロークＳに対して、
前記選択ストッパ部材を取り付けた状態での前記ロック部材の解錠位置における前記作
動体の先端部から前記選択ストッパ部材の後方側（退避側）端部までの距離Ｌ４が短くな
る
ことを特徴とする。
【００１３】
第４発明の収納庫の施錠装置は、第１発明乃至第３発明のいずれかにおいて、前記扉を
引き出しとしたことを特徴とする。
【発明の効果】
【００１４】
本発明では、一つのロック部材へ選択ストッパ部材を取り付けるか否かによって、電磁
式ソレノイド装置により施錠・解錠する電気式と、シリンダ錠に差し込まれるキーの回動
操作によって施錠・解錠する手動式のいずれの場合にも適用可能となり、電気式の場合の
ロック部材と、手動式の場合のロック部材をそれぞれ備える必要がなく、装置として簡素
化され、低コストによって目的を達成できる。
【００１５】
本発明では、ロック部材は、電磁式ソレノイド装置の連結部と、シリンダ錠に差し込ま
れるキーの回動操作によって動作する作動体の連繋部とを備えることにより、電気式の場
合において、扉にシリンダ錠を取り付けた場合、停電などによって電磁式ソレノイドへの
通電が遮断した場合には、シリンダ錠を利用して解錠することができる。
【００１６】
また、電磁式ソレノイド装置による施錠・解錠方式取り止めて、シリンダ錠による手動
式施錠装置とする場合は、選択ストッパ部材を取り付けることにより、シリンダ錠に差し
込まれるキーの回動操作によって動作する作動体の動作が、ロック部材に伝達される状態
となり、手動式施錠装置として安定動作を得ることができる。
【００１７】
なお、本発明の収納庫の施錠装置は、電気式施錠装置として、例えば、一つのビルディ
ング内の各部屋（オフィス）に対応してセキュリティロッカーが設置され、各部屋（オフ
ィス）の外（ドア近辺）に親機が設置されており、カードを親機にかざすことにより、通
信によってロッカーに内蔵した子機が待機状態になる。この状態で、そのロッカーの扉に
あるボタンを押したら、扉の施錠装置が解錠される動作を行なうシステムに適するもので
ある。
【００１８】
また、本発明の収納庫の施錠装置は、引き出しにおいても、同様の効果を奏することが
できる。
【図面の簡単な説明】
【００１９】
【図１】本発明に係る施錠装置を備えた多数の収納庫の設置状態を示す図である。
【図２】本発明に係る施錠装置を備えた収納庫の正面拡大図である。
【図３】本発明に係る収納庫の施錠装置のロック部材と係止部との部分を断面で示す説明図である。
【図４】本発明に係る電気式施錠装置と手動式施錠装置の両方を備えた施錠装置において手動式施錠装置の施錠動作が影響しない構成を示す第１ケースの背面斜視図である。
【図５】図４のロック部材の部分の拡大図である。
【図６】本発明に係る施錠装置が電気式施錠装置による構成において付加された手動式施錠装置によって解錠可能とする構成を示す第１ケースの背面斜視図である。
【図７】図６のロック部材と選択ストッパ部材の部分の拡大図である。
【図８】本発明に係る施錠装置のロック部材の連繋部と手動式施錠装置の作動体のストロークの関係を示す説明図である。
【図９】本発明に係る施錠装置のロック部材に着脱させる選択ストッパ部材の正面斜視図である。
【図１０】本発明に係る施錠装置のロック部材に着脱させる選択ストッパ部材の背面斜視図である。
【図１１】本発明に係る施錠装置のロック部材に着脱させる選択ストッパ部材の取り付け用の弾性係止爪部分を示す背面斜視図である。
【図１２】本発明に係るロック部材に選択ストッパ部材を取り付けた状態の上面図である。
【図１３】本発明に係る施錠装置を縦長ロッカーへ適用した場合の斜視図である。
【図１４】図１３の縦長ロッカーにおける施錠装置を備えた扉の裏面図である。
【図１５】図１３の縦長ロッカーにおける施錠装置がロッカー本体側の係止部へ係脱する状態の説明図である。
【図１６】図１３の縦長ロッカーにおける施錠装置のロック部材の解錠位置と施錠位置とを示す説明図である。
【発明を実施するための形態】
【００２０】
本発明の収納庫の施錠装置は、電磁式ソレノイド装置による施錠・解錠状態と、シリ
ンダ錠による手動式施錠・解錠状態とに選択可能であって、突出にて施錠位置となり退避
して解錠位置となるロック部材が設けられ、前記ロック部材は前記シリンダ錠に差し込ま
れるキーによって動作する作動体と連繋する連繋部を備え、この連繋部には、シリンダ錠
による施錠・解錠状態とする場合は取り付けられ、電磁式ソレノイド装置による施錠・解
錠状態とする場合は取り外される選択ストッパ部材を着脱可能としたものである。以下、
本発明の実施例を記載する。
【実施例１】
【００２１】
本発明の実施例を図に基づき説明する。本発明に係る収納庫（ロッカーとも称す）１は
、例えば、一つのビルディング内の各部屋（オフィス）に対応してセキュリティロッカー
が設置され、各部屋（オフィス）の外（ドア近辺）に親機が設置されており、カードを親
機にかざすことにより、通信によってロッカーに内蔵した子機が待機状態になる。この状
態で、そのロッカー１の扉３にあるボタン３Ａを押したら、扉３の施錠装置３０が解錠さ
れる動作を行なう電気式のものに適用するものである。
【００２２】
各部屋（オフィス）ごとに割り振られた収納庫１は、ビルディング内の入り口（玄関ホ
ール内）や適当な領域に設置される。各部屋（オフィス）の外（ドア近辺）には、施錠装
置３０の作動に係る親機５が設置され、各収納庫１の扉３の内部には、親機５と無線また
は有線にて電気的に関係付けられた子機７が収容されている。
【００２３】
このため、オフィスの社員が持参しているカードキー４を親機５に近接または当接させ
ることによって、親機５に内蔵した電気的判定手段によって、このカードキー４に記憶さ
れている特定コードが読み取られ、その判定結果がロッカー１に内蔵した子機７へ送信さ
れ、子機７が待機状態になる。この状態で、そのロッカー１の扉３にあるボタン３Ａを押
したら、扉３の施錠装置３０が解錠される動作を行なうシステムである。
【００２４】
収納庫１は、収納庫１の本体２の前面開口が、一部分に把手６を備えた扉３にて開閉さ
れる。扉３の左右の一方側（図示のものは右側）が、上下方向軸８を含む軸支持部にて左
右に開閉可能に支持されている。図示の場合は、上下方向軸８を中心として左右に開閉可
能に本体２に支持されている。各収納庫１の扉３ごとに、扉３内に施錠装置３０が取り付
けられている。施錠装置３０は、ロック部材１０が突出して本体２側の係止部９へ係止す
ることにより、扉３を閉止状態に保持する施錠位置となり、ロック部材１０が係止部９か
ら退避して扉３を開放可能とする解錠位置となる動作をする。
【００２５】
本発明の施錠装置３０は、電気式施錠装置３０Ａと、手動式施錠装置３０Ｂのいずれか
一方、または両方を備えたものとすることができるように構成されている。このため、電
気式施錠装置３０Ａを備える部分と、手動式施錠装置３０Ｂを備える部分を形成した第１
ケース３１が、各扉３の裏側に取り付けられている。図示のものは、第１ケース３１に電
気式施錠装置３０Ａと手動式施錠装置３０Ｂの両方を備えた状態のものを示している。
【００２６】
電気式施錠装置３０Ａは、第１ケース３１の裏側に取り付けられる第２ケース３２に設
けられ、手動式施錠装置３０Ｂは第１ケース３１の裏側に設けられている。電気式施錠装
置３０Ａは、子機７の動作によって励磁・非励磁となる電磁式ソレノイド装置１３と、電
磁式ソレノイド装置１３の励磁・非励磁によって摺動するロック部材１０を備えている。
【００２７】
ロック部材１０は、第２ケース３２の裏面３に沿って正面視で左方向に移動可能に支持
されており、ロック部材１０の先端１０Ａが扉３の側面から突出または退避するように支
持されている。図示の構成では、ロック部材１０は、、第２ケース３２のガイド部１２に
左右方向に移動可能に支持されている。ロック部材１０は、先端１０Ａの反対側の連結部
１０Ｂが、電磁式ソレノイド装置１３の可動部１４に連結されており、電磁式ソレノイド
装置１３の非励磁によって、可動部１４に付与したコイルバネ１１によって可動部１４が
突出し、それに伴ってロック部材１０は突出して、その先端１０Ａが本体２側の係止部９
へ係止し、扉３を閉止状態に保持する施錠位置となる。また、電磁式ソレノイド装置１３
の励磁によって、可動部１４はコイルバネ１１に抗して吸引され、それに伴ってロック部
材１０は退避し、その先端１０Ａが本体２側の係止部９から脱し、扉３を開放可能とする
（開くことができる）解錠位置となる。
【００２８】
手動式施錠装置３０Ｂは、第２ケース３２の上方位置に配置され、第１ケース３１の裏
面にシリンダ錠１５が取り付けられ、このシリンダ錠１５は、手動操作キー１６が差し込
まれるキー孔を扉３の前面側に臨ませ、このキー孔に差し込まれるキー１６の回動操作に
よって、ロック部材１０の左右方向に平行移動する作動体１７を備えている。
【００２９】
ロック部材１０は、電磁式ソレノイド装置１３によって施錠・解錠する電気式とする場
合と、シリンダ錠１５に差し込まれるキー１６の回動操作によって施錠・解錠する、手動
式とすることができるようになっている。電気式とする場合は、ロック部材１０の連結部
１０Ｂに電磁式ソレノイド装置１３の可動部１４が連結される。これによって、上記のよ
うに、電磁式ソレノイド装置１３の非励磁・励磁によって、扉３の施錠位置と解錠位置と
なる。
【００３０】
また、電気式施錠装置３０Ａの機能を設けずに、シリンダ錠１５に差し込まれるキー１
６の回動操作によって施錠・解錠する手動式施錠装置３０Ｂの機能のみとする場合に適用
できるようにするために、ロック部材１０には、その上辺に、左右方向に移動する作動体
１７の先端部１７Ａが侵入する連繋部１８を形成している。連繋部１８は、先方側（前進
側）に第１係止部１８Ａを備え、後方側（退避側）に第２係止部１８Ｂを備え、第１係止
部１８Ａと第２係止部１８Ｂとの間に作動体１７の先端部１７Ａが侵入している。
【００３１】
作動体１７の先端部１７Ａが連繋部１８内に侵入した状態にあり、ロック部材１０が退
避した状態、即ち、解錠位置では、作動体１７の先端部１７Ａが後方側の第２係止部１８
Ｂに当接または近接状態にある。この状態において、シリンダ錠１５に差し込まれるキー
１６を施錠方向へ回動操作することによって、作動体１７の先端部１７Ａが先方側の第１
係止部１８Ａへ向けて、所定のストロークＳだけ移動するが、第１係止部１８Ａを押す位
置には達しない。このため、ロック部材１０は移動せず、解錠位置のままとなる。前記ス
トロークＳは、作動体１７の先端部１７Ａは、図８に示すように、１７Ａの位置として示
す解錠位置から、１７Ａ１の位置として示す施錠位置までの距離である。即ち、このまま
では、シリンダ錠１５に差し込まれるキー１６を施錠方向へ回動操作しても施錠状態とは
ならない。
【００３２】
本発明では、一つのロック部材１０によって、電気式施錠装置３０Ａの機能と、手動式
施錠装置３０Ｂの機能が、選択的に達成されるようにするための特定構成に特徴がある。
即ち、シリンダ錠１５に差し込まれるキー１６の回動操作によって、ロック部材１０が施
錠・解錠動作を行なうためには、ロック部材１０に形成した第１係止部１８Ａと、作動体
１７の先端部１７Ａとの間隔を実質的に狭めて、作動体１７のストロークＳよりも短くす
るために、先方側の第１係止部１８Ａに選択ストッパ部材２０を取り付けることによって
、それを達成する構成である。
【００３３】
図８には、第１係止部１８Ａと第２係止部１８Ｂの間隔をＬ１、作動体１７の先端部１
７Ａに長さをＴ、前記ストロークをＳ、作動体１７の先端部１７Ａの先方側（前進側）端
部Ｐから第１係止部１８Ａまでの間隔をＬ３、第１係止部１８Ａの後方側（退避側）端部
から第１係止部１８Ａに取り付けた選択ストッパ部材２０の後方側（退避側）端部までの
間隔をＷ、作動体１７の先端部１７Ａの先方側（前進側）端部Ｐから第１係止部１８Ａに
取り付けた選択ストッパ部材２０の後方側（退避側）端部までの間隔をＬ４で表している
。
【００３４】
図８の形態では、シリンダ錠１５による施錠・解錠において、解錠位置で作動体１７の
先端部１７Ａの後方側（退避側）端部が、略第２係止部１８Ｂに当接状態であり、解錠位
置で作動体１７の先端部１７Ａの先方側（前進側）端部Ｐが、略第１係止部１８Ａに当接
状態である。このため、ストロークＳが略間隔Ｌ３に等しい（ＳがＬ３と同等または若干
短い）に設定となっている。
【００３５】
これによって、作動体１７が解錠位置から施錠位置まで移動するストロークＳに対して
、選択ストッパ部材２０を取り付けた状態でのロック部材１０の解錠位置における作動体
１７の先端部１７Ａから選択ストッパ部材２０の後方側（退避側）端部までの距離Ｌ４が
短くなる。
【００３６】
このため、選択ストッパ部材２０を取り付けていない状態では、シリンダ錠１５に差し
込まれるキー１６を施錠方向へ回動操作することによって、作動体１７の先端部１７Ａが
解錠位置から先方側の第１係止部１８Ａへ向けて、所定のストロークＳだけ移動するが、
第１係止部１８Ａを押す位置には達しない。それ故、ロック部材１０は解錠位置のままで
ある。
【００３７】
一方、選択ストッパ部材２０を取り付けた状態では、シリンダ錠１５に差し込まれるキ
ー１６を施錠方向へ回動操作することによって、作動体１７の先端部１７Ａが解錠位置か
ら先方側の第１係止部１８Ａへ向けて、所定のストロークＳだけ移動する途中で、作動体
１７の先端部１７Ａの先方側（前進側）端部Ｐが選択ストッパ部材２０の後端２０Ａに当
接し、選択ストッパ部材２０を介して第１係止部１８Ａを距離Ｗだけ前進させた状態、即
ち所定のストロークＳだけ移動した状態（図８の一点鎖線で示す１７Ａ１の位置）で、ロ
ック部材１０の先端１０Ａが本体２側の係止部９へ係止し、扉３を閉止状態に保持する施
錠位置となる。この施錠位置では、第２係止部１８Ｂも、図８の位置から距離Ｗだけ前進
した状態である。この場合、ロック部材１０が電磁式ソレノイド装置１３の可動部１４に
連結された状態において、電磁式ソレノイド装置１３への通電回路を切って、電気式施錠
装置３０Ａの機能が働かないように設定されている場合は、作動体１７の先端部１７Ａが
解錠位置から先方側の第１係止部１８Ａへ向けてストロークＳだけ移動することに伴って
、コイルバネ１１の伸張を伴いつつ、可動部１４とロック部材１０を施錠方向へ付勢する
。
【００３８】
なお、解錠は、シリンダ錠１５に差し込まれるキー１６を解錠方向へ回動操作すること
によって、作動体１７の先端部１７Ａが施錠位置から後方側（退避側）の第２係止部１８
Ｂへ向けて所定のストロークＳだけ移動する間に、作動体１７の先端部１７Ａが第２係止
部１８Ｂを後方へ押しつつ、作動体１７の先端部１７Ａは、図８の１７Ａの位置で示す所
定の解錠位置となり、ロック部材１０の先端１０Ａが本体２側の係止部９から脱し、扉３
を開くことができる解錠位置となる。この場合、ロック部材１０が電磁式ソレノイド装置
１３の可動部１４に連結された状態において、電磁式ソレノイド装置１３への通電回路を
切って、電気式施錠装置３０Ａの機能が働かないように設定されている場合は、作動体１
７の先端部１７Ａが施錠位置から解錠位置へ向けてストロークＳだけ移動することに伴っ
て、コイルバネ１１に抗しつつ、可動部１４とロック部材１０を解錠方向へ付勢すること
となる。
【００３９】
ロック部材１０の第１係止部１８Ａに対する選択ストッパ部材２０の着脱構成について
説明する。図５及び図８に示すように、ロック部材１０の第１係止部１８ＡはＬ字状をな
している。一方、選択ストッパ部材２０は、図９乃至図１１に示すように、第１係止部１
８Ａの取り付け辺１８Ａ１に弾性嵌合する一対の弾性係止爪２１Ａ、２１Ｂと、第１係止
部１８Ａの前端と後端が嵌合する前後一対の係止片２２、２３を形成している。係止片２
３は若干の弾性を有することによって、第１係止部１８Ａへの選択ストッパ部材２０の嵌
合をし易くしている。
【００４０】
この構成によって、図１２に示すように、選択ストッパ部材２０の開口から第１係止部
１８Ａが係止片２２、２３間に侵入するように、選択ストッパ部材２０を第１係止部１８
Ａへ押圧することにより、弾性係止爪２１Ａ、２１Ｂの爪が第１係止部１８Ａの端部に係
止し、この状態で選択ストッパ部材２０が第１係止部１８Ａに保持される。一方、第１係
止部１８Ａから選択ストッパ部材２０を取り外す場合は、弾性係止爪２１Ａ、２１Ｂの弾
性に抗して、第１係止部１８Ａから選択ストッパ部材２０を強く引っ張ることにより、第
１係止部１８Ａから選択ストッパ部材２０を取り外すことができる。
【００４１】
また、シリンダ錠１５を扉３に設けず、上記のように、電気式施錠装置３０Ａを備えた
第２ケース３２を第１ケース３１の裏側に取り付けることにより、施錠装置３０を電気式
とすることができる。この場合、カードキー４を親機５に近接させることによって、この
カードキー４に記憶されている特定コードに対応した収納庫１の扉３が、施錠及び解錠状
態となる。
【００４２】
また、シリンダ錠１５を扉に取り付けた状態で、上記のように、電磁式ソレノイド装置
１３をロック部材１０に連結して、電磁式ソレノイド装置１３によって施錠・解錠する電
気式とする場合には、第１係止部１８Ａから選択ストッパ部材２０を取り外した状態とし
、シリンダ錠１５はキー１６の回動操作によって作動体１７が前進した位置（手動式の場
合の施錠位置）とする。これによって、上記のように、第１係止部１８Ａと第２係止部１
８Ｂとの間隔Ｌ１が、シリンダ錠１５に差し込まれるキー１６による施錠操作によって移
動する作動体１７のストロークＳ（解錠位置から施錠位置へ向けて移動する作動体１７の
ストローク）よりも長くなる。このため、電磁式ソレノイド装置１３の励磁にてロック部
材１０が退避位置にあっても、前進位置にある作動体１７の先端部１７Ａが第１係止部１
８Ａに到達せず、ロック部材１０が施錠位置へ移動することはない。この場合、ロック部
材１０が施錠位置と解錠位置へ動作するのは、電磁式ソレノイド装置１３の非励磁と励磁
によることとなる。
【００４３】
この電気式において、ロック部材１０が施錠位置へ移動した状態において、停電などの
電気的支障が生じ場合は、カードキー４を親機５に近接させて解錠しようとしても、電磁
式ソレノイド装置１３は非励磁のままであり、扉３が閉まったままとなる。この場合、扉
３を開けるためには、シリンダ錠１５にキー１６を差し込み、解錠方向へ回動操作するこ
とによって、作動体１７の先端部１７Ａが後方側の第２係止部１８Ｂ方向へ移動しつつ、
第２係止部１８Ｂを押してロック部材１０をバネ１１に抗して解錠方向へ退避させ、遂に
ロック部材１０の先端１０Ａが本体２側の係止部９から脱し、扉３を開くことができる解
錠位置となる。
【００４４】
このように、電気式において、非常時の解錠のためにシリンダ錠１５を設けておくこと
ができ、この場合のシリンダ錠１５のキー１６の管理は、マンションの管理人が行うこと
により、ロッカーの管理が安全に行えるものとなる。
【００４５】
本発明に係る施錠装置３０を引き出しに適用する場合は、上記の構成の施錠装置３０を
引き出しの前面壁の裏側に取り付ければ、上記同様の機能によって、引き出しの施錠・解
錠が達成される。
【実施例２】
【００４６】
実施例２は、本発明に係る施錠装置３０を縦長収納庫１（以下、縦長ロッカー１という
）へ適用した場合の構成を示す。実施例１と同等機能箇所には同じ符号を付している。
【００４７】
図１３は、本発明に係る施錠装置３０を縦長収納庫１（以下、縦長ロッカー１という）
へ適用した場合の斜視図、図１４は、図１３の縦長ロッカー１における施錠装置３０を備
えた扉３の裏面図であり、電磁式ソレノイド装置１３を裏カバーで覆った状態を示す。ま
た、図１５は、図１３の縦長ロッカー１における施錠装置３０がロッカー本体２側の係止
部９へ係脱する状態の説明図、図１６は、図１３の縦長ロッカー１における施錠装置３０
のロック部材１０の解錠位置を（イ）で示し、施錠位置を（ロ）で示す説明図である。
【００４８】
実施例２の縦長ロッカー１は、縦長ロッカー１の本体２の前面開口が、一部分に把手６
を備えた扉３にて開閉される。扉３の左右の一方側（図示のものは右側）が実施例１と同
様に、上下方向軸８を含む軸支持部にて左右に開閉可能に支持されている。各縦長ロッカ
ー１の扉３ごとに、扉３内に施錠装置３０が取り付けられている。施錠装置３０は、ロッ
ク部材１０の突出にて扉３を閉止状態に保持する施錠位置となり、ロック部材１０の退避
にて扉３を開放可能とする解錠位置となる動作をする。
【００４９】
具体的構成として、実施例１と同様に、本発明の施錠装置３０は、扉３の裏側に第１
ケースにて取り付けられる。扉３には、縦長ロッカー１の表側から操作される把手６と、
この把手６の基部に固定された上下方向の可動軸４０が扉３の裏側に回動可能に扉３の上
下壁に支持され、この可動軸４０は、施錠装置３０のロック部材１０の先端１０Ａに係脱
する係止片４１を固定状態に備えている。また、可動軸４０の上下の一端または両端には
、可動軸４０の回動に伴って本体２側の係止部９へ係脱する鉤状のロック片４２を備えて
いる。可動軸４０には、扉３が閉じた状態で、鉤状のロック片４２が本体２側の係止部９
へ係止した状態を保持する向き（図１５の実線状態）に付勢されるように、コイルバネ４
３を備えている。
【００５０】
このため、把手６に指を掛けて、コイルバネ４３のバネ力に抗して引っ張っることによ
って、可動軸４０が回転し、それに伴って鉤状のロック片４２は、図１５に二点鎖線で示
すように回動する関係にある。
【００５１】
この構成において、扉３が閉じた状態では、コイルバネ４３によって鉤状のロック片４
２が本体２側の係止部９へ係止した状態（図１５の実線状態）である。この状態で、上記
実施例１のように、施錠装置３０が施錠状態にあるときは、ロック部材１０が突出して、
図１６（ロ）に示すように、ロック部材１０の先端１０Ａは、係止片４１に重合して係止
する対向位置（縦長ロッカー１から見れば正面側）に進出した状態である。これと共に、
ロック片４２が本体２側の係止部９へ係止した状態（図１５の実線状態）である。このた
め、把手６に指を掛けてコイルバネ４３のバネ力に抗して引っ張っても、係止片４１がロ
ック部材１０の先端１０Ａに当接して、矢印Ｙの方向へ回転は阻止され、解錠されず施錠
状態が維持されたままであり、扉３を開くことができない。
【００５２】
この施錠状態において、上記実施例１のように、解錠状態となれば、ロック部材１０が
退避し、図１６（イ）に示すように、ロック部材１０の先端１０Ａは、上記係止片４１の
対向位置から外れた退避状態となる。このため、把手６に指を掛けてコイルバネ４３のバ
ネ力に抗して引っ張れば、それに伴って可動軸４０が図１６の（イ）のＹ方向へ回動し、
この回動に伴って係止片４１及びロック片４２が、図１６（イ）及び図１５のＹ方向へ回
動し、ロック片４２が本体２側の係止部９から脱するため、把手６を引っ張れば扉３が開
く。
【００５３】
ロック部材１０が退避した状態において、再び扉３を閉じれば、ロック片４２が本体２
側の係止部９へ係止した状態（図１５の実線状態）になると共に、係止片４１は図１６（
イ）に示す位置へ復帰し、この状態で施錠動作を待つ。上記実施例１のように、施錠動作
が行なわれることによって、ロック部材１０が突出して、図１６（ロ）に示すように、ロ
ック部材１０の先端１０Ａは、係止片４１に重合して係止する対向位置（縦長ロッカー１
から見れば正面側）に進出した状態となり、上記同様に施錠状態となる。
【００５４】
このように、実施例２においても、施錠装置３０は、ロック部材１０の突出にて扉３を
閉止状態に保持する施錠位置となり、ロック部材１０の退避にて扉３を開放可能とする解
錠位置となる動作をすることとなる。
【産業上の利用可能性】
【００５５】
本発明の収納庫の施錠装置は、上記実施例に示した構成に限定されず、種々の形態のも
のに適用できるものであり、本発明の技術範囲において種々の形態を包含するものである
。
【符号の説明】
【００５６】
１・・・・収納庫（ロッカー）
２・・・・収納庫の本体
３・・・・扉
４・・・・カードキー
５・・・・親機
６・・・・把手
７・・・・子機
８・・・・軸
９・・・・係止部
１０・・・ロック部材
１０Ａ・・ロック部材の連結部
１１・・・コイルバネ
１２・・・ガイド部
１３・・・電磁式ソレノイド装置
１４・・・電磁式ソレノイド装置の可動部
１５・・・シリンダ錠
１６・・・キー
１７・・・作動体
１７Ａ・・作動体の先端部
１８・・・連繋部
１８Ａ・・第１係止部
１８Ｂ・・第２係止部
２０・・・選択ストッパ部材
２１Ａ・・弾性係止爪
２１Ｂ・・弾性係止爪
２２・・・係止片
２３・・・係止片
３０・・・施錠装置
３０Ａ・・電気式施錠装置
３０Ｂ・・手動式施錠装置
３１・・・第１ケース
３２・・・第２ケース
４０・・・可動軸
４１・・・係止片
４２・・・ロック片
４３・・・コイルバネ
【図１】
2011140809.tif 000003
【図２】
2011140809.tif 000004
【図３】
2011140809.tif 000005
【図４】
2011140809.tif 000006
【図５】
2011140809.tif 000007
【図６】
2011140809.tif 000008
【図７】
2011140809.tif 000009
【図８】
2011140809.tif 000010
【図９】
2011140809.tif 000011
【図１０】
2011140809.tif 000012
【図１１】
2011140809.tif 000013
【図１２】
2011140809.tif 000014
【図１３】
2011140809.tif 000015
【図１４】
2011140809.tif 000016
【図１５】
2011140809.tif 000017
【図１６】
2011140809.tif 000018